(57)【要約】【課題】リビング空間とベッド空間を備え、接客などの用にも使用可能で、且つプライバシーも確保できる。【解決手段】居室Ａの出入り口２側にリビング空間Ｂを、部屋奥側にベッド空間Ｃを配する。リビング空間Ｂとベッド空間Ｃとの間の居室Ａの奥行方向中間部に、トイレ空間Ｄとバス空間Ｅとを配置するものである。バス空間Ｄとベッド空間Ｅとは、それら出入り口が互いに向き合うように配置する。リビング空間Ｂとベッド空間Ｃと、トイレ空間Ｄとバス空間Ｅとの境には、開閉可能な扉若しくは引き戸１５・１６を設ける。【選択図】図１
0003141023.tif 000002
【実用新案登録請求の範囲】
【請求項１】
多数個の居室を有する集合型宿泊施設において、
居室の出入り口側にリビング空間を、
居室の部屋奥側にベッド空間を配し、
リビング空間とベッド空間との間の居室の奥行方向中間部に、トイレ空間とバス空間とを配置してなる、
リビング空間とベッド空間を備えた集合型宿泊施設の居室。
【請求項２】
バス空間とベッド空間とは、それら出入り口が互いに向き合うように配置してなる、
請求項１に記載のリビング空間とベッド空間を備えた集合型宿泊施設の居室。
【請求項３】
リビング空間とベッド空間と、トイレ空間とバス空間とを結ぶ線のいずれか一方、或いは双方に、開閉可能な扉若しくは引き戸を設けてなる、
請求項１又は２に記載のリビング空間とベッド空間を備えた集合型宿泊施設の居室。
【考案の詳細な説明】
【技術分野】
【０００１】
本考案は、ホテルや寮などとして使用する集合型宿泊施設の居室に関するもので、特にリビング空間とベッド空間を備えている集合型宿泊施設の居室に関するものである。
【背景技術】
【０００２】
ホテルや寮などとして使用される宿泊施設は、その居室を宿泊のために使用することは勿論のこと、商談や来客の応対にも使用することがある。
つまりは、ベッドを置く空間とは別に、リビング空間を備えた、いわゆるスイートと呼ばれる客室が望まれることがある。
しかしながら、来客の応対の時などは、ベッドが来客の眼に触れることは好ましくなく、従って、ベッド空間はリビング空間からは見えにくいことが望ましい。
【０００３】
ホテルなどの宿泊施設は、各個室が宿泊者のプライバシーを守る空間である。
従って、各居室が個別にトイレやバスを有することが望ましい。
しかしながら、宿泊者を多くするには、出来るだけ各部屋が占める面積を小さくして、多数の居室を、ひとつのフロアに設けることが望まれる。
その手段として、トイレ空間とバス空間を一つにしたユニット形式のバスを使用することが広く採用されている。
このようにバスとトイレを一つの共用空間の中に設けることで、出来る限りその他の空間を大きく取ることが可能となるものである。
【０００４】
しかしながら、このようなバス空間とトイレ空間が一つとなったユニット形式のバスでは、バスタブもトイレも標準よりも小さ目のものが使用されており、ゆったりとした姿勢で入浴や洗面などが行えないという不満があった。
他方、宿泊者の中には、バスとトイレが同じ空間にあるというのには、衛生面でどうにも馴染めない人もいる。
出来れば、バスとトイレは別のスペースに配置して、バスからはトイレが、トイレからバスが見えないようにすることが望ましい。
しかしながら、トイレとバスを別々の空間にすると、部屋の空間をそれだけ広く占めてしまうもので、寝室や簡易の執務室などとしての空間が大きく取れないという課題となっていた。
【特許文献１】実開平６−８２３０４号公報
【考案の開示】
【考案が解決しようとする課題】
【０００５】
解決しようとする課題は、接客や商談なども行える、いわゆるスイートルームと呼ばれる居室を、出来る限り小さなスペースの中で実現し、プライバシーも確保でき、また充分な広さを有するトイレ空間やバス空間を別個に確保することを実現することである。
【課題を解決するための手段】
【０００６】
本考案にかかるリビング空間とベッド空間を備える集合型宿泊施設の居室は、
居室の出入り口側にリビング空間を、
居室の部屋奥側にベッド空間を配し、
リビング空間とベッド空間との間の居室の奥行方向中間部に、トイレ空間とバス空間とを配置するものである。
また、他の集合型宿泊施設の居室は、
バス空間とベッド空間とは、それら出入り口が互いに向き合うように配置するものである。
更に、他の集合型宿泊施設の居室は、
リビング空間とベッド空間と、トイレ空間とバス空間とを結ぶ線のいずれか一方、或いは双方に、開閉可能な扉若しくは引き戸を設けるものである。
【考案の効果】
【０００７】
本考案は以上のような構成よりなり、少なくとも次のいずれか一つの効果を達成するものである。
＜ａ＞ベッド空間とは別にリビング空間を備えるため、宿泊だけでなく、接客、商談などのため使用にも供することが出来る、いわゆるスイートルームとして使用可能となる。
＜ｂ＞リビング空間は居室の出入り口側に、ベッド空間は居室の部屋奥側に配置したため、リビング空間で接客する場合、来客はベッド空間を通ることがなく、プライバシーが確保できる。
＜ｃ＞リビング空間とベッド空間との間に、バス空間とトイレ空間を配したため、それら空間が仕切りを兼ね、リビング空間からベッド空間が見えにくく、プライバシーを確保することが可能である。
＜ｄ＞バス空間とトイレ空間は、それら出入り口が互いに向き合うように配置することで、ドアなどの開閉の際に、リビング空間やベッド空間から即見えるようなことがなく、不快な感覚を与えない。
＜ｅ＞リビング空間とベッド空間と、トイレ空間とバス空間とを結ぶ線のいずれか一方、或いは双方に、開閉可能な扉若しくは引き戸を設けることで、リビング空間とベッド空間とは、トイレ空間とバス空間と扉などによって完全に仕切ることが出来、プライバシーをより完全に確保できる。
【実施例１】
【０００８】
以下、図に示す実施例に基づき、本考案を詳細に説明する。
＜１＞  全体の配置
図１に示すのは、本考案にかかる集合型宿泊施設の居室Ａを二部屋並べて配置した例である。
廊下１側には出入り口となる開口部２が設けられ、居室Ａの出入り口側空間はリビング空間Ｂとなっており、出入り口から遠くの部屋奥側は、ベッド空間Ｃとなっている。
リビング空間Ｂとベッド空間Ｃとの間の、居室Ａの奥行方向中間部に、バス空間Ｄとトイレ空間Ｅが設けられている。
実施例では、各居室Ａの幅Ｗは４０００ｍｍであり、奥行きＬは７６００ｍｍとなっている。
【０００９】
＜２＞  リビング空間
開口部２にはドア３が取付けられ、ドア３を開けるとリビング空間Ｂへ入室可能となる。
リビング空間Ｂのふたつの居室Ａ・Ａを仕切る壁４側には、出切り口側からロッカー５とカウンター６が設けられている。
リビング空間Ｂの中には、ソファ７やテーブルなどが設置可能である。
【００１０】
＜３＞  ベッド空間
居室Ａの奥行き側には、室外にはバルコニー８が設けられ、ベッド空間Ｃから掃き出し窓９からバルコニー８へ出入り可能である。
ベッド空間Ｃの、ふたつの居室Ａ・Ａを仕切る壁４側には、カウンター１０が設けられ、その上にテレビ１１が載せられている。
ベッド空間Ｃ内には、ベッド１２が設置されている。ベッド１２は、いわゆるダブルベッドタイプの大型のベッドが配置可能である。
【００１１】
＜４＞  バス空間とトイレ空間
バス空間Ｄとトイレ空間Ｅとは、居室Ａの奥行方向中間部に、左右の壁際に接してそれぞれ配されている。
バス空間Ｄとトイレ空間Ｅの出入り口は、互いに向き合うように配置されており、地トイレ空間Ｅにはドア１３が、バス空間Ｅには引き戸１４が取付けられている。
リビング空間Ｂとベッド空間Ｃと、バス空間Ｄとトイレ空間Ｅとを結ぶ線との間、つまりはバス空間Ｄとトイレ空間Ｅの間の通路空間との境には、引き戸１５・１６がそれぞれ取付けられて開閉可能となっている。
引き戸１５・１６は、いずれか一つを取り付けることも採用できる。
バス空間Ｄ内には、大型のバスタブが採用可能で、トイレ空間Ｅもゆったりとしたスペースが確保できた。
バス空間Ｄとトイレ空間Ｅは、左右の壁際に配せずに、一方側の壁側へ並べて配することも可能である。
【００１２】
＜５＞  スペース
実施例の居室Ａは、一つの居室Ａ当たり３０．４０ｍ2という広さの中に、リビング空間Ｂとベッド空間Ｃを確保し、バス空間Ｄとトイレ空間Ｅを別個に備えるという極めて効率的なスペース活用を実現出来た。
しかし当然のことながら、それ以上の広さのスペースにも、本考案を実施できることは言うまでもない。
図において１７はパイプシャフトである。
【図面の簡単な説明】
【００１３】
【図１】集合型宿泊施設の居室の平面図
【図２】居室の内部説明図
【符号の説明】
【００１４】
Ａ：居室
Ｂ：リビング空間
Ｃ：ベッド空間
Ｄ：バス空間
Ｅ：トイレ空間
１：廊下
２：開口部
３：ドア
４：壁
５：ロッカー
６：カウンター
７：ソファ
８：バルコニー
９：掃き出し窓
１０：カウンター
１１：テレビ
１２：ベッド
１３：ドア
１４：引き戸
１５：引き戸
１６：引き戸
１７：パイプシャフト
【図１】
0003141023.tif 000003
【図２】
0003141023.tif 000004